(57)【要約】【課題】  安価にいびき防止が可能な寝装具の提供を目的とする。【解決手段】  背中に接する背枕２と、背枕２の両側端に設けられたバンド３，４と、バンド３，４に取り付けるストッパ１０，１０と、を有することを特徴としている。背枕２は寝装具１を使用する時に背中にあたるようになっており、バンド３，４で背枕２を身体に固定する。この時、ストッパ１０，１０が脇腹やや前方にあたる。こうすることによって、身体が横向きに固定されることとなり、いびきを防止することができる。【選択図】図１
2006094980.tif 000002
【特許請求の範囲】
【請求項１】
背中に接する背枕と、
該背枕の少なくとも一端に設けられたバンドと、
該バンドに取り付けられ、背枕の移動を防止するストッパと、
を有することを特徴とする寝装具。
【請求項２】
前記背枕は、エアバッグであることを特徴とする請求項１に記載の寝装具。
【請求項３】
前記バンドには内側に滑り止めを有していることを特徴とする請求項１又は２に記載の寝装具。
【請求項４】
前記ストッパは、エアバッグであることを特徴とする請求項１から３のいずれかに記載の寝装具。
【請求項５】
前記背枕には空気の給排気を行う空気弁が設けられていることを特徴とする請求項１から４のいずれかに記載の寝装具。
【請求項６】
前記背枕には、補助バッグが取り付けられていることを特徴とする請求項１から５のいずれかに記載の寝装具。
【請求項７】
前記補助バッグは、エアバッグであることを特徴とする請求項６記載の寝装具。
【請求項８】
前記バンドは少なくとも一部に伸縮可能なシートを含むことを特徴とする請求項１から７のいずれかに記載の寝装具。
【発明の詳細な説明】
【技術分野】
【０００１】
本発明はいびきを防止することが可能な寝装具に関する。
【背景技術】
【０００２】
いびきは、仰向けで寝ることで発生することが多く、特に肥満体の人や老人に多い。仰向けに寝ることでのどの奥（舌根部）が沈下し、気道をふさぐのが原因と考えられる。すなわち、舌根部が沈下して気道がふさがれると、呼吸ができない（無呼吸）状態となり、息苦しさのために大きないびきで呼吸をすることになるのである。
【０００３】
このようないびきは、横向きになって寝ることで防止することができる。横向きになることで舌根部が沈下せずにすむので気道が確保され、スムーズに呼吸ができるようになるからである。
【０００４】
そのため、頭部から背中にかけてＬ字型に形成された枕によって、横向きになった体を支えるもの（例えば、特許文献１参照）や、センサによっていびきを検知すると、自動的にベッドが横向きに傾斜して体を横向きにするもの（例えば、特許文献２参照）など、体を横向きにした状態でいびきを防止するものがある。
【特許文献１】特開２００４−３３６９６（図１、図２）
【特許文献２】特開２００３−１０２５９（図３、段落００２５）
【発明の開示】
【発明が解決しようとする課題】
【０００５】
しかし、特許文献１のような枕では、夜中に寝返りを繰り返しているうちに枕が体から離れてしまい、いつの間にか仰向けに寝ている場合もあり、いびきを完全に防止することはできない。
【０００６】
また、特許文献２は、体を強制的に横向きにするため、いびき防止の効果は高いが、ベッドを傾斜させる機構が複雑でベッドそのものが高価なものとなってしまう。
【０００７】
そこで、本発明は、安価にいびき防止が可能な寝装具の提供を目的とする。
【課題を解決するための手段】
【０００８】
上記目的を達成するために請求項１記載の寝装具は、背中に接する背枕と、該背枕の少なくとも一端に設けられたバンドと、該バンドに取り付けられ、背枕の移動を防止するストッパと、を有することを特徴としている。
【０００９】
請求項２に記載の寝装具は、前記背枕は、エアバッグであることを特徴としている。
請求項３に記載の寝装具は、前記バンドには内側に滑り止めを有していることを特徴としている。
【００１０】
請求項４記載の寝装具は、前記ストッパは、エアバッグであることを特徴としている。
請求項５記載の寝装具は、前記背枕には空気の給排気を行う空気弁が設けられていることを特徴としている。
【００１１】
請求項６記載の寝装具は、前記背枕には、補助バッグが取り付けられていることを特徴としている。
請求項７記載の寝装具は、前記補助バッグはエアバッグであることを特徴としている。
【００１２】
請求項８記載の寝装具は、前記バンドは少なくとも一部に伸縮可能なシートを含むものであることを特徴としている。
【発明の効果】
【００１３】
請求項１記載の寝装具は、背枕とバンド及びストッパとから構成されている。背枕は寝装具を使用する時に背中にあたるようになっており、バンドで背枕を身体に固定する。身体に固定すると眠れないような場合には、ストッパが上向きになるように寝装具を布団に広げ、背枕とストッパの間に横向きになって寝る。この時、ストッパが脇腹やや前方にあたり横向きに寝た時の背枕の移動を防止する。こうすることによって、身体が横向きに固定されることとなり、いびきを防止することができる。
【００１４】
請求項２記載の寝装具は、背枕がエアバッグとなっている。エアバッグにしたことによって背枕を軽くすることができ、使用時、起座または移動時の違和感をなくすことができる。
【００１５】
請求項３記載の寝装具は、バンドの内側に滑り止めを有している。これによって背枕が背中からずれにくくなる。
【００１６】
請求項４記載の寝装具は、ストッパがエアバッグとして構成されている。これによって使用時の違和感も少なく、背枕が背中からずれるのを防止することができる。
【００１７】
請求項５記載の寝装具は、背枕には空気の給排気を行う空気弁が設けられている。これによって背枕内部の空気圧を調節することができ、横寝の角度を変えることができる。
【００１８】
請求項６記載の寝装具は、背枕に補助バッグが取り付けられている。使用時には補助バッグの空気圧を高くしておく。こうすることで、背枕の空気圧を低くした状態で装着する場合でも背枕が垂れ下がることがなく、装着が楽である。
【００１９】
請求項７記載の寝装具は、補助バッグはエアバッグになっている。これによって補助バッグが軽くなるため、装着時の違和感が少なくなる。
【００２０】
請求項８記載の寝装具は、前記バンドは少なくとも一部に伸縮可能なシートを含む。これで寝装具の使用中にバンドが緩まないようになる。
【発明を実施するための最良の形態】
【００２１】
次に本発明の寝装具に関して、図面を基に説明する。
図１は、本発明の寝装具の第１実施例の正面図である。寝装具１は背枕２と左右のバンド３，４を有している。背枕２はビニール等の軟質シートを略直方体の袋状に形成したエアバッグであり、背枕２内への空気の吸入及び、背枕２からの排出を行うための空気弁５が設けられている。初めて使用するときに、空気弁５へポンプ等を差し込み、背枕２の内部へ空気を入れて使用する。または、空気弁５に口をつけて、背枕２に息を吹き込んで背枕２を膨らませてもよい。背枕２にはその内部にビニール等の軟質シートによる仕切り板６を有している。仕切り板６は袋状に形成されたビニールの内側に溶着されている。仕切り板６は上下に隙間が設けられているため、背枕２の左側にある空気弁５により背枕２内部に吸入した空気は、仕切り板６の上下の隙間を通って仕切り板６の右側へも送り込まれる。これらによって背枕２は略直方体の形状に維持される。
【００２２】
背枕２の右側面にはバンド３が溶着されており、同様に左側面にはバンド４が溶着等によって取り付けられている。バンド３，４は共にビニール等の軟質シートで形成されている。バンド３，４は背枕２との取り付け部分の幅が一番広く、背枕２から離れるごとに幅が狭くなるような傾斜が設けられており、あるところで幅が一定の帯状になる。傾斜はバンド３の方が緩やかになっており、その結果、バンド３の面積のほうがバンド４の面積よりも大きくなっている。そのため、バンド３の摩擦力が大きくなり、バンド３側を下にして寝ることによって背枕２の移動を防止することができる。本発明では、バンド３，４には背枕２の移動を防止できる程度の面積があればよいので、このような実施の形態の他にバンド４の面積を大きくしたり、バンド３，４を同じ形状にしてもよい。
【００２３】
バンド３，４の先端には面ファスナー７，８が取り付けられている。面ファスナー７はバンド３の幅方向に長い長方形となっており、バンド３の裏面に取り付けられている。一方、面ファスナー８は、バンド４の先端から背枕２への取り付け部分に向かっての長さが長くなっており、装着者の体型に合わせて適切な位置で寝装具１を固定することができる。寝装具１の固定には、面ファスナー７，８の他に、金属製のバックル等も使用することができる。
【００２４】
さらに、バンド３，４には背枕２との溶着部分から面ファスナー７，８の近傍まで滑り止め９が設けられている。この滑り止め９はバンド３，４に凹凸をつけたものである。このような滑り止め９を設けることによって、装身具１を使用している時に背枕２が背中からずれることがなくなる。滑り止め９としては、この他にも装着者の身体や衣服と接触する側にゴムシート又は樹脂製シート等を貼り付ける構成であってもよいし、バンド３，４自体をゴムシート又は樹脂製シートで形成するといった構成であってもよい。さらに、ゴムシート又は樹脂製シート等を網目状に形成したものを貼り付けるような構成も可能である。
【００２５】
ストッパ１０，１０も背枕２の移動を防止するものである。これは背枕２と同様に、ビニール等の軟質シートを袋状に形成し、中に空気を入れたエアバッグとなっている。ストッパ１０，１０は袋状に形成した時に空気を入れた状態にしておくものであってもよいし、空気弁を設けて使用する時に空気を入れるようなものであってもよい。
【００２６】
ストッパ１０，１０はバンド３，４の外側に接着剤等で固定するか、バンド３，４の外側にポケットを形成し、その中に収納して使用する。また、ポケットをバンド３，４の先端に向かって複数用意しておき、装着者の体型に合わせて最適な位置のポケットにストッパ１０，１０を収納するような構成も可能である。
【００２７】
装着者が身体の右側を下にした状態で寝る場合には、バンド４に設けたストッパ１０は無くてもよい。逆に体を左下にして寝る場合には、バンド３のストッパ１０は無くてもよい。
【００２８】
図２は、寝装具を装着した状態を示す図である。図２で装着者１１は裸体として表しているが、実際に寝装具１を使用するときにはパジャマ等の衣服の上から装着することとなる。もちろん図のように裸体に装着することも可能である。背枕２は装着者１１の臀部１２から背１３にかけて装着され、バンド３，４を腹に回して面ファスナー７，８によって固定する。このとき、バンド３，４は下腹部で止めるようにすると装着した時に楽である。装着者１１は寝装具１を装着した状態で布団又はベッド等に横向きに寝る。
【００２９】
図３は、寝装具を装着して横になった状態を頭部側から見た図である。図２と同様に、実際の使用に際して装着者１１は、パジャマ等の衣服を着用した上から装身具１を装着する。図３のように装着者１１は寝装具１を装着した状態で布団１４等に横向きに寝る。装着者１１の頭部は図示しない枕に載せている。装着者１１は、この状態から寝返りをしようとしても、背枕２が邪魔になり寝返りすることができない。また、バンド３，４には滑り止め９，９があるので、寝装具１の中で装着者１１だけが回転して仰向けになってしまうこともない。
【００３０】
ストッパ１０は寝装具１を装着したときに、装着者１１のわき腹やや前方あたりに位置する。そのため、寝装具１が回転して、背枕２が背中以外の場所に移動してしまうのを防ぐ。すなわち、寝装具１だけが回転するような場合、ストッパ１０は装着者１１と布団１４とが接した位置で止まるため、寝装具１はそれ以上回転することがない。
【００３１】
このように、滑り止め９，９及びストッパ１０，１０があるので、背枕２は、最初に固定された位置から移動することなく、常に装着者１１の背中にある。従って装着者１１は、横向きの姿勢を維持することができ、いびきを防止することができる。
【００３２】
図４は、本発明の寝装具を装着して布団に横になった状態を背中側からみた図である。装着者１１は実際の使用に際してはパジャマ等の上から本発明の寝装具１を装着する。背枕２の幅Ｗは、寝装具１を装着して布団等に横になった時に、上側の腕を背枕２にのせることができる程度の幅があるとよい。そうすることで、横向きに寝た場合に楽な姿勢をとることができ、安心感が得られる。
【００３３】
背枕２は、空気弁５によって背枕内部の空気圧を調節することができるようになっている。空気圧を上げて背枕２を大きく膨らませると、装着者１１の身体をほぼ９０度の状態に固定することができる。しかし、身体を固定されると身動きできなくてかえって眠れないという場合もある。そのような場合には、空気圧を下げる、すなわち背枕２に入れる空気の量を少なくすることで、横寝の角度にある程度の自由がでてきて、寝返りができるようになる。この時、背枕２の厚みが５センチ程度になるように空気量を調節してあれば、寝返りをして仰向けの状態になっても、背枕２によって背中が持ち上げられた状態になり、そのままの姿勢では違和感を感じる。そのため、すぐに横向きの姿勢に戻り、いびきが防止できる。
【００３４】
なお、背枕２の厚さは５センチに限定するものではない。装着者１１の体型等により適切な厚さにすることができる。
【００３５】
寝装具１は背枕２のサイズが違うものを数種類用意することで、体型等の違いによって適切なサイズの寝装具１を選択することが可能となる。このとき、背枕２とバンド３，４を面ファスナー等で着脱可能に取り付けることもできる。
【００３６】
背枕２の仕切り板６は図１では１枚だけであるが、２枚使用して背枕２の内部を３等分するような構成も可能である。仕切り板６を２枚にすることで、背枕２の形状を直方体に近い形状にすることができ、寝返り防止の効果が高くなる。
【００３７】
図５は、本発明の寝装具の第２実施例を示す正面図である。図１の寝装具１と同じものについては同一の符号を付して相違点のみ説明する。
【００３８】
寝装具２０は、背枕２１の外側に補助バッグ２２が取り付けられている。背枕２１は寝装具１の背枕２と同じように、ビニール等の軟質シートを略直方体の袋状に形成したエアバッグになっており、背枕２１を形成している前面と後面の軟質シートの中央部分を直接溶着している。しかし、このような実施の形態の他に、背枕２のように仕切り板６を溶着するような構成も可能である。空気弁５から背枕２１全体に空気を入れることができるように、背枕２１の上端部分と下端部分は溶着していない。または、１つ以上の通気孔が設けられた仕切り板６を設ける構成であってもよい。
【００３９】
補助バッグ２２は、ビニール等の軟質シートを袋状に形成したエアバッグであり、背枕２１の中央部分に設けられた溶着部分に接着剤等で取り付けられている。補助バッグ２２には空気弁５がある。背枕２１と補助バッグ２２はそれぞれ独立した袋体であるので、背枕２１と補助バッグ２２に別々に空気を入れる必要がある。
【００４０】
上記のような寝装具２０を使用する場合には、補助バッグ２２の空気圧は高い状態にし、背枕２１は好みの空気量にする。第１実施例の寝装具１では背枕２の空気圧を低くした場合に、布団１４に座った状態で装着しようとすると、背枕２の上端が下に垂れ下がってしまい、装着に手間がかかることがある。第２実施例の寝装具２０の場合、補助バッグ２２は常に空気圧を高い状態にしておくため、座った状態で装着した場合でも背枕２１及び補助バッグ２２の先端は垂れ下がらないため、装着が楽になる。
【００４１】
図６は、第２実施例の寝装具を装着して横になった状態を頭部側から見た図である。装着者１１は、実際の使用時にはパジャマ等の衣服を着用した上から寝装具２０を装着する。背枕２１の空気圧も高くすると、身体が横向きに固定され寝返りができなくなる。一方、背枕２１の空気圧を低くすれば寝返りができるので、眠りやすい。その場合でも、補助バッグ２２の空気圧は高いままなので、仰向けの状態になると背中に違和感を感じ、横向きの姿勢に戻る。
【００４２】
図７は、本発明の第３実施例の寝装具の正面図である。図１と同じものには同じ符号をつけ、相違点のみ説明する。第１実施例及び第２実施例の場合、寝る直前に寝装具１，２０をバンド３，４でしっかりと締め付けた状態で装着ても、寝ている間にバンド３，４が緩んでくることがある。そのため夜中に一度起きて、バンド３，４をしっかりと締め直す等の手間が必要になることがある。図７の第３実施例では、そのような手間をなくすことができる。
【００４３】
第３実施例の場合、バンド３２はその中間部分、すなわち背枕２との取り付け部分であるシート３２ａと、面ファスナー７が取り付けられたシート３２ｂとの間に、ゴムシート等の伸縮可能なシート３５を取り付けた構成となっている。バンド３２のうち、シート３２ａ，３２ｂは図１のバンド３と同様にビニール等の軟質シートとなっており、シート３５はシート３２ａ，３２ｂと接着剤等によって取り付けられている。
【００４４】
この寝装具３１は、背枕２を背中に当ててから、バンド３２のシート３２ａを引っ張り、シート３５を伸ばしてから面ファスナー７，８で身体に固定する。このようにシート３５を伸ばした状態で装着することで、寝ている間にバンド３２，３３が緩むことがなく、寝装具３１は常に身体にフィットする。そのため、夜中に起きてバンド３２，３３を締め直さなくてもよい。バンド３２はシート３５をシート３２ａ，３２ｂとの間に取り付ける構成のほかに、全体をゴム等の伸縮可能なシート３５で形成するような構成であってもよい。
【００４５】
また、図７の実施例では背枕２の側面とバンド３２，３３の端部に面ファスナー等のファスナー３４，３４が設けられており、バンド３２，３３は背枕２から着脱が可能となっている。そのため、バンド３２，３３の取り付け位置を逆にすることができる。ファスナー３４，３４は、面ファスナーの他に、ファスナーやボタン等でもよい。また、ストッパ１０はバンド３３にのみ取り付けられているが、これはバンド３２にも取り付けることが可能である。
【００４６】
なお、本発明は以上のような実施の形態に限定されるものではない。背枕２，２１及び補助バッグ２２はエアバッグ以外にも、通常の枕のように布製の袋にそばがら又はパイプ等を入れたものであってもよい。
【００４７】
また、身体に固定すると気になってなかなか寝付けない場合には、寝装具１，２０及び３１を図１、図５又は図７のように広げた状態で布団１４の上に置くことも可能である。そして背枕２，２１とストッパ１０との間に横向きになる。この時背中は背枕２，２１に接するようにする。このようにすると、ストッパ１０が背枕２，２１が背中から移動してしまうのを防止することができる。このような方法で使用する場合、第１及び第２実施例のバンド３，４は、バンド３２，３３のようにファスナー３４等で背枕２から取り外し可能な構成としておき、いずれか一方のバンドを取り外した状態で使用することもできる。
【図面の簡単な説明】
【００４８】
【図１】本発明の寝装具の第１実施例の正面図である。
【図２】寝装具を装着した状態を示す図である。
【図３】寝装具を装着して横になった状態を頭部側から見た図である。
【図４】本発明の寝装具を装着して布団に横になった状態を背中側からみた図である。
【図５】本発明の寝装具の第２実施例を示す正面図である。
【図６】第２実施例の寝装具を装着して横になった状態を頭部側から見た図である。
【図７】本発明の寝装具の第３実施例を示す正面図である。
【符号の説明】
【００４９】
１，２０，３１        寝装具
２，２１              背枕
３，４，３２，３３    バンド
５                    空気弁
１０                  ストッパ
２２                  補助バッグ
３５                  シート
【図１】
2006094980.tif 000003
【図２】
2006094980.tif 000004
【図３】
2006094980.tif 000005
【図４】
2006094980.tif 000006
【図５】
2006094980.tif 000007
【図６】
2006094980.tif 000008
【図７】
2006094980.tif 000009